(57)【要約】【課題】本発明は、レンズモジュールを提供する。【解決手段】レンズモジュールは、レンズ鏡筒と、前記レンズ鏡筒内に収容されたレンズ群とを含み、前記レンズ群は、少なくとも、物体側から像側に向かって互いに嵌合された第１レンズおよび第２レンズを含み、前記第１レンズは、前記第２レンズに対向する面において、光軸に近づく方向に向かって水平に延在する第１当接面と、第１当接面から光軸に近づく方向に向かってかつ物体側に向かって斜めに延在する第１斜面とを含み、前記第２レンズは、前記第１当接面に貼り合わされた第２当接面と、第２当接面から光軸に近づく方向に向かって、且つ物体側に向かって斜めに延在する第２斜面とを含み、前記第１斜面と前記第２斜面とは、間隔をあけて設けられている。本発明に係るレンズモジュールは、ゲート深さとコバ厚を増加させ、設計自由度を向上させ、遮光シートの外径寸法を小さくすることができる。【選択図】図１
2020027277.tif 000002
【特許請求の範囲】
【請求項１】
レンズ鏡筒と、物体側から像側に向かって互いに嵌合された第１レンズおよび第２レンズを少なくとも含む、前記レンズ鏡筒内に収容されたレンズ群とを含むレンズモジュールであって、
前記第１レンズは、前記第２レンズに対向する面において、光軸に近づく方向に向かって水平に延在する第１当接面と、第１当接面から光軸に近づく方向に向かってかつ物体側に向かって斜めに延在する第１斜面とを含み、
前記第２レンズは、前記第１当接面に貼り合わされた第２当接面と、第２当接面から光軸に近づく方向に向かってかつ物体側に向かって斜めに延在する第２斜面とを含み、
前記第１斜面と前記第２斜面とは、間隔をあけて設けられている、ことを特徴とするレンズモジュール。
【請求項２】
前記第１当接面と前記第１レンズの外縁とは、間隔をあけて設けられている、ことを特徴とする請求項１に記載のレンズモジュール。
【請求項３】
前記第１レンズは、第１斜面から光軸に近づく方向に向かって水平に延在する第１平面をさらに含む、ことを特徴とする請求項２に記載のレンズモジュール。
【請求項４】
前記第２レンズは、第２斜面から光軸に近づく方向に向かって水平に延在する第２平面を含み、前記第１平面と前記第２平面との間に遮光部材が介設されている、ことを特徴とする請求項３に記載のレンズモジュール。
【請求項５】
レンズ鏡筒と、物体側から像側に向かって互いに嵌合された第１レンズおよび第２レンズを少なくとも含む、前記レンズ鏡筒内に収容されたレンズ群とを含むレンズモジュールであって、
前記第１レンズは、前記第２レンズに対向する面において、光軸に近づく方向に向かって水平に延在する第１当接面と、第１当接面から光軸に近づく方向に向かってかつ像側に向かって斜めに延在する第３斜面とを含み、
前記第２レンズは、前記第１当接面に貼り合わされた第２当接面と、第２当接面から光軸に近づく方向に向かってかつ像側に向かって斜めに延在する第４斜面とを含み、
前記第３斜面と前記第４斜面とは、間隔をあけて設けられている、ことを特徴とするレンズモジュール。
【請求項６】
前記第１当接面と前記第１レンズの外縁とは、間隔をあけて設けられている、ことを特徴とする請求項５に記載のレンズモジュール。
【請求項７】
前記第１レンズは、第３斜面から光軸に近づく方向に向かって水平に延在する第３平面をさらに含む、ことを特徴とする請求項６に記載のレンズモジュール。
【請求項８】
前記第２レンズは、第４斜面から光軸に近づく方向に水平に延在する第４平面を含み、前記第３平面と前記第４平面とは、間隔をあけて設けられている、ことを特徴とする請求項７に記載のレンズモジュール。
【発明の詳細な説明】
【技術分野】
【０００１】
本発明は、撮像レンズ分野に関し、具体的にレンズモジュールに関する。
【背景技術】
【０００２】
科学技術が絶えずに発展しているに伴い、電子機器はインテリジェント化に向かって進展しており、デジタルカメラに加えて、タブレットＰＣや携帯電話などの携帯電子機器にもレンズモジュールが配置されている。人々の使用の需要を満たすために、レンズモジュールによって撮像された被写体像に要求される品質も、より高度なものとなってきている。
【発明の概要】
【発明が解決しようとする課題】
【０００３】
しかしながら、関連技術において、前記レンズモジュールにおける前記遮光シートは、隣接する２つのレンズの間に介設して、前記レンズに遮光作用を提供することに用いられるが、前記遮光シートは、２つの同心円に打ち抜くことによって形成された環状構造であり、形態が単一であり、前記レンズの前記遮光シートに当接する当接部位が前記遮光シートに対して干渉を形成できず、前記遮光シートの遮光効果が悪く、ひいては迷光が依然としてあり、前記レンズモジュールの光学性能に影響する。
【０００４】
したがって、新型のレンズモジュールを提供する必要がある。
【課題を解決するための手段】
【０００５】
上記問題を解決するために、本発明は、レンズモジュールを提供し、前記レンズモジュールは、レンズ鏡筒と、物体側から像側に向かって互いに嵌合された第１レンズおよび第２レンズを少なくとも含む、前記レンズ鏡筒内に収容されたレンズ群とを含み、前記第１レンズは、前記第２レンズに対向する面において、光軸に近づく方向に向かって水平に延在する第１当接面と、第１当接面から光軸に近づく方向に向かってかつ物体側に向かって斜めに延在する第１斜面とを含み、前記第２レンズは、前記第１当接面に貼り合わされた第２当接面と、第２当接面から光軸に近づく方向に向かってかつ物体側に向かって斜めに延在する第２斜面とを含み、前記第１斜面と前記第２斜面とは、間隔をあけて設けられている。
【０００６】
１種の改良として、前記第１当接面と前記第１レンズの外縁とは、間隔をあけて設けられている。
【０００７】
１種の改良として、前記第１レンズは、第１斜面から光軸に近づく方向に向かって水平に延在する第１平面をさらに含む。
【０００８】
１種の改良として、前記第２レンズは、第２斜面から光軸に近づく方向に向かって水平に延在する第２平面を含み、前記第１平面と前記第２平面との間に遮光部材が介設されている。
【０００９】
本発明は、レンズモジュールをさらに提供し、前記レンズモジュールは、レンズ鏡筒と、物体側から像側に向かって互いに嵌合された第１レンズおよび第２レンズを少なくとも含む、前記レンズ鏡筒内に収容されたレンズ群とを含み、前記第１レンズは、前記第２レンズに対向する面において、光軸に近づく方向に向かって水平に延在する第１当接面と、第１当接面から光軸に近づく方向に向かってかつ像側に向かって斜めに延在する第３斜面とを含み、前記第２レンズは、前記第１当接面に貼り合わされた第２当接面と、第２当接面から光軸に近づく方向に向かってかつ像側に向かって斜めに延在する第４斜面とを含み、前記第３斜面と前記第４斜面とは、間隔をあけて設けられている。
【００１０】
１種の改良として、前記第１当接面と前記第１レンズの外縁とは、間隔をあけて設けられている。
【００１１】
１種の改良として、前記第１レンズは、第３斜面から光軸に近づく方向に向かって水平に延在する第３平面をさらに含む。
【００１２】
１種の改良として、前記第２レンズは、第４斜面から光軸に近づく方向に向かって水平に延在する第４平面を含み、前記第３平面と前記第４平面とは、間隔をあけて設けられている。
【発明の効果】
【００１３】
本発明は、以下のような有利な効果を奏することができる。
本発明に係るレンズモジュールは、ゲート深さとコバ厚を増加させ、設計自由度を向上させ、遮光シートの外径寸法を小さくすることができる。
【図面の簡単な説明】
【００１４】
【図１】本発明に係るレンズモジュールの実施形態１の構成を示す断面模式図である。
【図２】本発明に係るレンズモジュールの実施形態１の第１レンズの構成を示す断面模式図である。
【図３】本発明に係るレンズモジュールの実施形態１の第２レンズの構成を示す模式図である。
【図４】本発明に係るレンズモジュールの実施形態２の構成を示す断面模式図である。
【図５】本発明に係るレンズモジュールの実施形態２の第１レンズの構成を示す断面模式図である。
【図６】本発明に係るレンズモジュールの実施形態２の第２レンズの構成を示す断面模式図である。
【発明を実施するための形態】
【００１５】
以下、本発明の技術案およびその各利点をよりよく理解するために、具体的な実施形態によって図面を参照しながら本発明をさらに詳細に説明する。以下の実施形態では、紙面の左右方向を水平方向と称し、紙面における水平方向に垂直な方向、すなわち、紙面の上下方向を垂直方向と称する。
【００１６】
実施形態１
図１に示すように、本発明は、レンズモジュールを提供し、このレンズモジュールは、レンズ鏡筒１と、このレンズ鏡筒１内に収容されたレンズ群２とを含む。レンズ群２は、少なくとも２枚のレンズを含み、本実施形態では、レンズ群２は、物体側から像側に向かって互いに嵌合された第１レンズ２１、第２レンズ２２、第３レンズ２３および第４レンズ２４を含むが、これに限定されず、レンズの数は、実際の必要に応じて決められてもよい。
【００１７】
レンズ鏡筒１は、光通過孔１３を含み、レンズ鏡筒１は、水平方向に沿って延在する第１筒壁１１と、第１筒壁１１から垂直方向に沿って下方に向かって屈曲して延在する第２筒壁１２とを含み、それは、一体構造であってもよく、別体構造であってもよい。
【００１８】
本実施形態では、レンズモジュールは、レンズの間に介設される遮光部材３をさらに含み、遮光部材３は、遮光シートであることが好ましいが、遮光板であってもよい。
【００１９】
ゲート深さとコバ厚を増加し、設計自由度を向上させるために、第１レンズ２１と第２レンズ２２との嵌合構造に対して改良を行い、具体的な態様は、次の通りである。
【００２０】
図１と図２に示すように、レンズ群２において各レンズは、いずれも軸対称構造であり、それぞれのレンズは、光学部２５と、光学部２５を周回する周辺部２６とを含む。具体的には、第１レンズ２１は、軸対称構造であり、第１レンズ２１の上面は、第１面２１Ａであり、第１レンズ２１の下面は、第２面２１Ｂであり、第１レンズ２１は、第２レンズ２２に嵌合された面（即ち、第２面２１Ｂ）において、光軸Ｘに近づく方向に向かって水平に延在する第１当接面２７１と、第１当接面２７１から光軸Ｘに近づく方向に向かってかつ物体側に向かって斜めに延在する第１斜面２７２と、第１斜面２７２から光軸Ｘ方向に向かって水平に延在する第１平面２７３とを含み、第１当接面２７１と第１レンズ２１の外縁とは、間隔をあけて設けられている。第１斜面２７２と第１当接面２７１および第１平面２７３とは、円弧面によって接続されてもよく、又は、角度を成して直接接続されてもよい。第１レンズ２１の第１当接面２７１における厚さは、第１レンズ２１の第１平面２７３における厚さよりも大きい。また、第１レンズの第２面２１Ｂは、第１レンズ２１の外縁から光軸Ｘに近づく方向に向かって水平に延在する第７平面２７４と、第７平面２７４から光軸Ｘに近づく方向に向かってかつ像側に向かって斜めに延在する第５斜面２７５とをさらに含み、第５斜面２７５は、第１当接面２７１に接続されている。
【００２１】
図１と図３に示すように、第２レンズ２２には、第１当接面２７１に貼り合わされた第２当接面２２１と、第２当接面２２１に接続される第１突起部２９とが設けられており、第１突起部２９は、第２当接面２２１から光軸Ｘに近づく方向に向かってかつ物体側に向かって斜めに延在する第２斜面２９１と、第２斜面２９１から光軸Ｘに近づく方向に向かって水平に延在する第２平面２９２と、第２平面２９２から光軸Ｘに近づく方向に向かってかつ像側に向かって斜めに延在する第７斜面２９３とを含む。第１斜面２７２と第２斜面２９１とは、間隔をあけて設けられ、さらに、第１斜面２７２の傾きは、第２斜面２９１の傾きと等しいが、等しくなくてもよい。第１平面２７３と第２平面２９２との間に遮光シート３が設けられており、遮光シート３の位置は、第１当接面２７１の位置よりも光軸Ｘに近い。
【００２２】
具体的には、第２レンズ２２は、第２当接面２２１に接続され、かつ、第２当接面２２１よりもレンズ鏡筒１の内壁面側に近い凹み部２２２をさらに含み、この凹み部２２２は、第２当接面２２１よりも第２レンズ２２の下面にさらに近く、換言すれば、第２レンズ２２の凹み部２２２における厚さは、第２レンズ２２の第２当接面２２１における厚さよりも小さい。
【００２３】
したがって、第１レンズ２１と第２レンズ２２との間に凹凸嵌合構造が形成されることによって、ゲート深さとコバ厚を増加させ、設計自由度を向上させる。
【００２４】
また、第１レンズ２１、第２レンズ２２および第３レンズ２３は、例えば、ガラスレンズやプラスチックレンズまたは他の材質のレンズである。また、レンズの間に遮光部材３が設けられてもよく、遮光部材３は、遮光シートや遮光板であってもよく、実際の必要に応じて決められるが、本実施形態では、遮光シートであることが好ましい。
【００２５】
実施形態２
本実施形態では、実施形態１と同じ部分について、重複説明を省略する。
【００２６】
図４と図５に示すように、第１レンズ２１の上面は、第１面２１Ａであり、第１レンズ２１の下面は、第２面２１Ｂであり、第１レンズ２１は、第２レンズ２２に嵌合された面（即ち、第２面２１Ｂ）において、第１当接面２７１と、第１当接面に接続され、かつ、第２レンズ２２に突出する第２突起部３０とを含み、この第２突起部３０は、第１当接面２７１から光軸Ｘに近づく方向に向かってかつ像側に向かって斜めに延在する第３斜面３０１と、第３斜面３０１から光軸Ｘに近づく方向に向かって水平に延在する第３平面３０２と、第３平面３０２から光軸Ｘに近づく方向に向かってかつ物体側に向かって斜めに延在する第８斜面３０３とを含む。さらに、第１レンズ２１の第２面２１Ｂは、第１当接面２７１に接続され、かつ、第１当接面２７１のレンズ鏡筒１の内壁面に近い側に位置する構造をさらに含み、この構造については、実施形態１と同様であり、説明を省略する。
【００２７】
図４と図６に示すように、第２レンズ２２には、第１当接面２７１に貼り合わされた第２当接面２２１と、第２当接面２２１から光軸Ｘに近づく方向に向かってかつ像側に向かって斜めに延在する第４斜面２９５と、第４斜面２９５から光軸Ｘに近づく方向に向かって水平に延在する第４平面２９６とを含む。第３斜面３０１と第４斜面２９５とは、間隔をあけて設けられ、第３平面３０２と第４平面２９６とは、間隔をあけて設けられ、遮光部材３は、第２突起部３０よりも光軸Ｘに近い位置に設けられている。本実施形態では、第２当接面２２１の光軸Ｘから離れる側には、凹み部が設けられていない。また、第１当接面２７１は、第２当接面２２１の光軸に近い部分に当接し、第２当接面２２１の光軸から離れる部分は、第２面２１Ｂと間隔をあけて設けられている。
【００２８】
以上の構成により、第１レンズ２１と第２レンズ２２との間に凹凸嵌合が形成され、凹凸嵌合構造によって形成された隙間に遮光部材３が介設され、１つの平面（第１当接面２７１と第２当接面とが部分的に当接する）が貼り合わせることのみで、第１レンズ２１と第２レンズ２２との間の嵌合が実現されるため、ゲート深さとコバ厚を増加させて、設計自由度が向上し、さらに遮光部材３の外径寸法が小さくなる。
【００２９】
従来技術に比べて、本発明に係るレンズモジュールでは、ゲート深さとコバ厚を増加させ、設計自由度を向上させ、遮光シートの外径寸法を小さくすることができる。
【００３０】
上述したのは、本発明の実施形態に過ぎず、当業者にとって、本発明の趣旨を逸脱しない範囲で改良を加えることが可能であるが、これら全ては本発明の保護範囲に含まれると理解されるべきである。
【図１】
2020027277.tif 000003
【図２】
2020027277.tif 000004
【図３】
2020027277.tif 000005
【図４】
2020027277.tif 000006
【図５】
2020027277.tif 000007
【図６】
2020027277.tif 000008